(57)【要約】【課題】本体前面操作部の左右側方とキッチンキャビネットの前面開口との間にできる隙間を、簡単に美観を保って塞ぐことができ、かつ、施工時に紛失することがないようにする。【解決手段】加熱調理器本体の前面パネルを覆う前面パネルカバーが、前面視における前記加熱調理器本体の存在領域内に前面視における前記前面パネルカバーの存在領域の全てが包含される第１位置と、前面パネルカバーの延長部がキッチンキャビネットと前面パネルとの隙間を覆う第２位置との間で、軸部を中心として回動自在に、加熱調理器本体前面に設けた軸支部に軸支されている。【選択図】図４
2013024494.tif 000002
【特許請求の範囲】
【請求項１】
操作部が配設される前面パネルを前面に有する加熱調理器本体を、キッチンキャビネットの上面に形成した上面開口部から挿入し、前記キッチンキャビネットの前面に形成した前面開口部に前記前面パネルを臨ませて設置し、前記前面パネルの前面を覆う前面パネルカバーを備え、前記前面パネルカバーに前記前面開口部と前記加熱調理器本体の側方との隙間を覆う延長部を備えた組込式加熱調理器において、
前記前面パネルカバーにおける前記延長部側と反対側の端部に軸部を設け、前記軸部を前記加熱調理器本体の前面に設けた軸支部において軸支し、
前記前面パネルカバーが、前面視における前記加熱調理器本体の存在領域内に前面視における前記前面パネルカバーの存在領域の全てが包含される第１位置と、前記延長部が前記隙間を覆う第２位置との間で、前記軸部を中心として回動自在に構成されていることを特徴とする組込式加熱調理器。
【請求項２】
前記操作部が、前記加熱調理器本体から引出し収納自在な開閉式操作部であり、前記前面パネルカバーが、前記開閉式操作部を前記加熱調理器本体に収納した状態における前記開閉式操作部の前面を覆うものであり、前記加熱調理器本体に収納した状態における前記開閉式操作部の前面と前記開閉式操作部の側面との境界部に前記軸支部が形成されることを特徴とする請求項１に記載の組込式加熱調理器。
【請求項３】
前記加熱調理器本体内にはグリル庫を備え、前記グリル庫への被調理物の出し入れ用開口を前記操作部の横に設け、前記軸支部を、前記被調理物の出し入れ用開口と前記操作部との間に設け、前記前面パネルカバーが第１位置にあるとき、前記前面パネルカバーが前記被調理物の出し入れ用開口に位置することを特徴とする請求項１または請求項２のいずれかに記載の組込式加熱調理器。
【請求項４】
前記前面パネルに電池収納用の開口を設け、前記前面パネルカバーによって前記電池収納用の開口を覆うことを特徴とする請求項１〜請求項３のいずれか１項に記載の組込式加熱調理器。
【請求項５】
前記前面パネルカバーが第２位置に位置するときに、前記前面パネルカバーの第１位置に向けての回動を牽制する牽制手段を設けたことを特徴とする請求項１〜請求項４のいずれか１項に記載の組込式加熱調理器。
【発明の詳細な説明】
【技術分野】
【０００１】
本発明は、一般家庭で使用する組込式加熱調理器に関するものである。
【背景技術】
【０００２】
従来、調理器本体をキッチンキャビネットの天板開口部から挿入し、キャビネットの前面開口部に調理器本体の前面に備える操作部をのぞませるように設置した組込式調理器が知られている（例えば特許文献１）。
【０００３】
このような設置方法の場合、本体前面の外形寸法はキャビネットの前面開口寸法よりも小さい必要あるが、そのため本体前面の外形と開口との間に隙間が生じる。
【０００４】
このような場合、本体前面の外形とキッチンキャビネットの前面開口との隙間が目立ってしまうと外観が悪くなるから、キャビネットに調理器本体を組み込んだ後に、着脱式のカバーを取り付けて隙間を塞ぐのが一般的であった。
【０００５】
そして、上記カバーと調理器本体との間に隙間や段差が生じないようにするため、開閉式操作部を有するものでは、操作部前面にキッチンキャビネット前面開口部までを覆う操作部カバーを設け、一体感や外観上の美観を保つ工夫がされている（例えば特許文献２）。
【先行技術文献】
【特許文献】
【０００６】
【特許文献１】特開２００２−３２３２２３号公報
【特許文献２】特開２００９−００２５７１号公報
【発明の概要】
【発明が解決しようとする課題】
【０００７】
しかしながら、前記従来の構成における着脱式のカバーは、調理器本体とは別に梱包されるものであり、施工時に紛失するおそれがあり、また、着脱のための固定箇所が多くなりがちで、取り付けにくく取り外しにくいという課題があり、改善が望まれるものであった。
【０００８】
本発明は、上記の課題を解決するもので、本体前面操作部とキッチンキャビネットの前面開口との間にできる隙間を簡単に、美観を保って塞ぐことができ、かつ、施工時にカバーを紛失することがない、施工性に優れた加熱調理器を提供することを目的とする。
【課題を解決するための手段】
【０００９】
上記従来の課題を解決するために、本発明の組込式加熱調理器は、第１特徴構成として、操作部が配設される前面パネルを前面に有する加熱調理器本体を、キッチンキャビネットの上面に形成した上面開口部から挿入し、前記キッチンキャビネットの前面に形成した前面開口部に前記前面パネルを臨ませて設置し、前記前面パネルの前面を覆う前面パネルカバーを備え、前記前面パネルカバーに前記前面開口部と前記加熱調理器本体の側方との隙間を覆う延長部を備えた組込式加熱調理器において、前記前面パネルカバーにおける前記延長部側と反対側の端部に軸部を設け、前記軸部を前記加熱調理器本体の前面に設けた軸支部において軸支し、前記前面パネルカバーが、前面視における前記加熱調理器本体の存在領域内に前面視における前記前面パネルカバーの存在領域の全てが包含される第１位置と、前記延長部が前記隙間を覆う第２位置との間で、前記軸部を中心として回動自在に構成されるものである。
【００１０】
上記構成により、キッチンキャビネットの上面に形成した上面開口部から挿入して加熱調理器をキッチンキャビネットに組み込むときには前面パネルカバーを、前面視における加熱調理器本体の存在領域内に前面視における前面パネルカバーの存在領域の全てが包含される第１位置に位置させておき、加熱調理器をキッチンキャビネットに組み込んだ後には前面パネルカバーを、軸部を中心として延長部が隙間を覆う第２位置に回動させるだけで、キッチンキャビネットの開口部と本体前面パネルとの隙間を簡単に覆うことができ、加熱調理器をキッチンキャビネットに組み込んだ状態における美観を保つことができる。
【００１１】
しかも、前面パネルカバーは、加熱調理器本体の前面に設けた軸支部において軸支されるものであるから、施工時に前面パネルカバーを紛失することがない。
【００１２】
また、第２特徴構成として、前記操作部が、前記加熱調理器本体から引出し収納自在な開閉式操作部であり、前記前面パネルカバーが、前記開閉式操作部を前記加熱調理器本体に収納した状態における前記開閉式操作部の前面を覆うものであり、前記加熱調理器本体に収納した状態における前記開閉式操作部の前面と前記開閉式操作部の側面との境界部に前記軸支部が形成されるように構成することが好ましい。
【００１３】
このように構成した場合、上記効果に加えて、使用頻度が高くない操作スイッチなどを開閉式操作部に配置しておき、加熱調理器において普段露出するスイッチ類の種類や数を少なくすることで操作の単純化が行えるものとなり、そして、上記操作の単純化を行った場合にも、開閉式操作部の前面を覆う前面パネルカバーが開閉式操作部の前面と側面との境界部に軸支されることで、開閉式操作部の引出しと収納に伴い前面パネルカバーが開閉式操作部の前面と共に移動することになるから、簡単な構成でキッチンキャビネットの開口部と本体前面パネルとの隙間を覆うことができるものとなる。
【００１４】
因みに、開閉式操作部を備える場合に、前面パネルカバーの軸支部を、開閉式操作部の前面と側面との境界部ではなく、開閉式操作部が引出し収納自在に配置される加熱調理器本体側に設けた場合には、開閉式操作部の引出し時における前面パネルカバーと開閉式操作部との干渉を回避するために、前面パネルカバーにおける開閉式操作部の前面の位置と対応する箇所に、開口部を設ける必要があり、しかも、開閉式操作部の引出し時における前面パネルカバーと開閉式操作部との干渉を十分回避するためには、この前面パネルカバーに設ける開口部の開口寸法は開閉式操作部の前面の外形より大きくする必要があるから、外観を損なうものとなってしまう。
【００１５】
つまり、第２特徴構成により、普段露出するスイッチ類の種類や数を少なくすることで操作の単純化が行えるものとすることが可能で、このように構成した場合にも、簡単な構成でキッチンキャビネットの開口部と本体前面パネルとの隙間を覆うことができ、しかも、外観を美麗に保つことができる。
【００１６】
また、第３特徴構成として、前記加熱調理器本体内にはグリル庫を備え、前記グリル庫への被調理物の出し入れ用開口を前記操作部の横に設け、前記軸支部を、前記被調理物の出し入れ用開口と前記操作部との間に設け、前記前面パネルカバーが第１位置にあるとき、前記前面パネルカバーが前記被調理物の出し入れ用開口に位置するように構成することが好ましい。
【００１７】
このように構成した場合、上記第１特徴構成による効果または上記第２特徴構成による効果のいずれかに加えて、加熱調理器をキッチンキャビネットに組み込むに当たって前面パネルカバーが邪魔にならず、また、また、加熱調理器をキッチンキャビネットに組み込む際に前面パネルカバーを第１位置に位置させておくことで前面パネルカバーの表面（前面）が、傷つきにくいものとすることができる。
【００１８】
つまり、前面パネルカバー回動の軸支部を、グリル庫の被調理物の出し入れ用開口と操作部との間に設け、前面パネルカバーが第１位置にあるとき、前面パネルカバーがグリル庫の被調理物の出し入れ用開口に位置させたときには、前面パネルカバーの裏面（背面）が加熱調理器の前面を向くことになるから、前面パネルカバーが第１位置にある状態で加熱調理器をキッチンキャビネットに組み込む際に、もし、第１位置にある前面パネルカバーがキッチンキャビネットと接触してしまったときにも、前面パネルカバーの裏面（背面）がキッチンキャビネットと接触することになり、前面パネルカバーの表面（前面）は傷つきにくいものとなるのである。
【００１９】
また、前面パネルカバーをグリル庫の被調理物の出し入れ用開口に位置させることで、前面パネルカバーが第１位置にあるときの前面パネルカバーの加熱調理器の前面方向への飛び出し寸法を小さくすることができるから、加熱調理器をキッチンキャビネットに組み込むに当たって前面パネルカバーが邪魔にならないものとなる。
【００２０】
要するに、第３特徴構成によって、加熱調理器をキッチンキャビネットに組み込むに当たって、前面パネルカバーが邪魔にならず、また、前面パネルカバーの表面（前面）を美麗に保つことができるものとすることができる。
【００２１】
また、第４特徴構成として、前記前面パネルに電池収納用の開口を設け、前記前面パネルカバーによって前記電池収納用の開口を覆うように構成することも好ましい。
【００２２】
このように構成した場合、上記第１特徴構成〜上記第３特徴構成による効果のいずれかに加えて、加熱調理器の制御用電源やバックアップ用電源として電池を用いる場合にも、前面パネルに電池収納用の開口を設けて電池の交換が容易にでき、また、電池収納用の開口を閉塞する蓋を前面パネルカバーによって兼用したものを、軸部を中心として延長部が隙間を覆う第２位置に回動させるだけで、キッチンキャビネットの開口部と本体前面パネルとの隙間を簡単に覆うことができ、加熱調理器をキッチンキャビネットに組み込んだ状態における美観を保つことができるものとなる。
【００２３】
また、第５特徴構成として、前記前面パネルカバーが第２位置に位置するときに、前記前面パネルカバーの第１位置に向けての回動を牽制する牽制手段を設ける構成とすることが好ましい。
【００２４】
このように構成した場合、上記第１特徴構成〜上記第４特徴構成による効果のいずれかに加えて、加熱調理器をキッチンキャビネットに組み込んだ後において、前面パネルカバーが第２位置に位置した使用状態にある加熱調理器の操作部の操作などによっても、前面パネルカバーが第２位置にある状態が維持されるから、加熱調理器の使用状態において、キッチンキャビネットの開口部と本体前面パネルとの隙間を前面パネルカバーによって覆う状態を良好に維持することができるものとすることができる。
【発明の効果】
【００２５】
本発明の組込式加熱調理器は、加熱調理器をキッチンキャビネットに組み込む際に、前面パネルカバーが邪魔にならず、加熱調理器をキッチンキャビネットに組み込んだ後は、軸部を中心として前面パネルカバーを回動させるだけで、キッチンキャビネットの開口部と本体前面パネルとの隙間を簡単に覆うことができ、加熱調理器をキッチンキャビネットに組み込んだ状態における美観を保つことができ、しかも、パネルカバーは、加熱調理器本体の前面に設けた軸支部において軸支されるものであるから、施工時にパネルカバーを紛失することがない。
【図面の簡単な説明】
【００２６】
【図１】本発明の第１実施形態における組込式加熱調理器の全体構成図
【図２】同上の組込式加熱調理器で、前面パネルカバーが第１位置にある状態を示す図で、天板を省略した図
【図３】同上の組込式加熱調理器がキッチンキャビネットに設置され、前面パネルカバーが第２位置にある状態を示す図
【図４】同上の組込式加熱調理器で、前面パネルカバーが第１位置と第２位置との間にある状態を示す図
【図５】同上の組込式加熱調理器で、前面パネルカバーが第１位置と第２位置との間にあり開閉式操作部が収納位置にある状態を示す図
【図６】同上の組込式加熱調理器で、前面パネルカバーが第２位置にあり開閉式操作部が引出し位置にある状態を示す図
【図７】同上の組込式加熱調理器で、前面パネルカバーが第１位置と第２位置との間にある状態を示す拡大図
【図８】同上の組込式加熱調理器がキッチンキャビネットに設置された状態を示す図
【図９】同上の組込式加熱調理器がキッチンキャビネットに設置され、前面パネルカバーが第１位置にあり天板を装着する前の状態を示す図
【発明を実施するための形態】
【００２７】
以下、本発明の実施の形態について図面を参照しながら説明する。なお、この実施の形態によって本発明が限定されるものではない。
【００２８】
〔第１実施形態〕
図１は本発明の組込式加熱調理器の第１実施形態としてのドロップインコンロＡの全体構成を示すものであり、図８は上記ドロップインコンロＡがキッチンキャビネット２３に設置された状態を示す。
【００２９】
図８に示すように、ドロップインコンロの本体１はキッチンキャビネット２３の上面開口部７ａ（図３参照）から落とし込まれて設置されている。また、キッチンキャビネット２３の上面開口部７ａよりも大きい、本体１の上部開口を覆うための天板２（図１）と、天板２の下方には図示しないバーナ本体を備え、バーナの炎口部３が天板２に設けた開口を貫通して天板２の上方に露出させている。
また、図２、図３に示すように、キッチンキャビネット２３の前面開口部７ｂには本体前面の操作部Ｓが配列される前面パネル８を臨ませて設置されており、前面パネル８は後述する前面パネルカバー１０（図１参照）によって前面を覆われている。
【００３０】
図１に示すように、前面パネルカバー１０は、前面パネル８において、後述する手動操作部ＳＳが配設される領域を覆う右上用前面パネルカバー７０、後述するコンロ用の設定入力パネル５０の前面を覆う右下用前面パネルカバー７１、後述する電池を本体１内に収納するための開口を覆う左上用前面パネルカバー７２、後述するグリル用の設定入力パネル６０の前面を覆う左下用前面パネルカバー７３によって構成される。
【００３１】
図１に示すように、ドロップインコンロＡは、３つのコンロバーナ１ａ，１ｂ，１ｃ、及び、グリルバーナ（図示せず）を具備するグリル庫６を備えたビルトインタイプのガスコンロにて構成されており、３つのコンロバーナ１ａ，１ｂ，１ｃは高火力バーナ１ａと、小バーナ１ｂと、高火力バーナ１ｃとによってダブル高火力仕様に構成されている。
【００３２】
又、図１に示すように、グリル庫６の燃焼排ガスを排気するためのグリル排気口４が形成され、ガラス製の天板２にてガスコンロ上面が覆われており、この天板２の上部に、高火力バーナ１ａ、小バーナ１ｂ及び高火力バーナ１ｃに対する被加熱物（鍋など）を受け止め支持するための五徳３ａが載置支持されている。
【００３３】
又、図１に示すように、ガスコンロ前側面の前面パネルには、高火力バーナ１ａ、小バーナ１ｂ及び高火力バーナ１ｃとグリルバーナとの点火及び消火や火力調節と各種の設定とを指令する操作部Ｓが設けられ、各種の制御を実行するように構成された燃焼制御部Ｈ（図示せず）が、その操作部Ｓにて指令された運転状態に基づいて、高火力バーナ１ａ、小バーナ１ｂ及び高火力バーナ１ｃとグリルバーナを制御するように構成されている。又、上記前面パネル８には自動復帰型の押し操作式の電源スイッチ４０（図２、図７）も設けられている。なお、前面パネル８の左右方向における中央付近には、上記グリル庫６に調理物を収納、取出しを行うためのグリル用開口６ａ（図４）を備える。
【００３４】
図２に示すように、上記前面パネル８の、ドロップインコンロＡの前面から見て右上には、３つのコンロバーナ１ａ，１ｂ，１ｃの点火及び消火や火力調節を行うための手動操作部ＳＳが配設されており、また、ドロップインコンロＡの前面から見て右下には、３つのコンロバーナ１ａ，１ｂ，１ｃの各種の設定を指令するコンロ用の設定入力パネル５０（図６）が配設されている。
【００３５】
上記前面パネル８の、ドロップインコンロＡの前面から見て左下には、グリルバーナに対して、点火及び消火や火力調整を指令するためのグリル用の設定入力パネル６０（図６）が配設されており、また、ドロップインコンロＡの前面から見て左上には、燃焼制御部Ｈの電源となる電池を本体１内に収納するための開口１４が設けられている。なお、コンロ用の設定入力パネル５０及びグリル用の設定入力パネル６０は開閉式になっている。
【００３６】
手動操作部ＳＳの構成について説明する。手動操作部ＳＳは、
前面パネルカバー１０が前面パネル８を覆った状態において、前面パネルカバー１０に形成した挿通孔３９（図４）を通して裏面側から挿通する状態で円筒状の回転操作部８０（図４、図７）が設けられているものであり、そして、この円筒状の回転操作部８０は、その回転軸心方向の移動により、本体内に備える点消火スイッチ（図示せず）を消火指令を指令する消火指令状態に操作する消火指令用に押し込み位置と、その押し込み位置よりも突出して上記点消火スイッチ（図示せず）を点火指令を指令する点火指令状態に操作する点火指令用の突出位置とに切り換え自在に構成され、且つ、上記突出位置にて前記燃焼量を調整すべく回転操作自在に構成されている。
【００３７】
詳述すると、上記円筒状の回転操作部８０は、押し操作される毎に回転軸心方向に移動して、図示しない位置保持機構によって、前面パネルカバー１０の前面とほぼ面一になる押し込み位置と前方に突出する突出位置とに切り換え自在に構成され、上記円筒状の回転操作部８０が前記突出位置に切り換えられているときに、正転方向及び逆転方向の夫々にその軸心周りで回動操作可能となるように構成されている。そして、上記円筒状の回転操作部８０が押し込み位置に切り換えられるとそれに伴って上記点消火スイッチ（図示せず）がＯＦＦ（オフ）状態となり、上記円筒状の回転操作部８０が突出位置に切り替えられるとそれに伴って上記点消火スイッチ（図示せず）がＯＮ（オン）状態となるように連動して切り換わる構成となっている。上記点消火スイッチ（図示せず）の切り換え信号は燃焼制御部Ｈに入力されており、燃焼制御部Ｈはこの上記点消火スイッチ（図示せず）がＯＮ状態に切り換わると対応するバーナに対する点火作動を開始し、ＯＦＦ状態に切り換わると対応するバーナの燃焼作動を停止するように構成されている。
【００３８】
又、本体１の内部には、上記円筒状の回転操作部８０の回転操作に伴ってパルス信号を出力するパルス発生手段としてのロータリーエンコーダ（図示せず）が設けられている。つまり、このロータリーエンコーダの操作軸に上記円筒状の回転操作部８０が一体回動自在に且つ軸心方向での相対移動を許容する状態で接続されている。上記ロータリーエンコーダは、上記円筒状の回転操作部８０の一方向への回転操作に伴って２つのパルス信号のうちの一方のパルス信号が他方のパルス信号より位相が進み、上記円筒状の回転操作部８０の他方向への回転操作に伴って前記他方のパルス信号が前記一方のパルス信号より位相が進む状態で、上記円筒状の回転操作部８０の回転操作に伴って互いに異なる位相の２つのパルス信号を出力するように構成されている。つまり、このロータリーエンコーダ３３は、２つの出力端子を備えており、その２つの出力端子から上述したような位相の異なるパルス信号が出力される構成である。このようなロータリーエンコーダ３３は周知のものであり詳細な構成についての説明は省略する。
【００３９】
ここで、図２〜図４により本実施の形態１のドロップインコンロＡに備えられた前面パネルカバー１０を説明すると、前面パネルカバー１０には、上記前面パネル８を覆ったときに、上記キッチンキャビネット２３の前面開口部７ｂと本体１の側方との隙間１８（図９）を覆う延長部１７を備えている。
また、前面パネルカバー１０における上記延長部１７側と反対側の端部には軸部１３を設けてあり、上記軸部を本体１の前面に設けた軸支部１２において前面パネルカバー１０が遥動自在に軸支されている。
【００４０】
手動操作部ＳＳが配設される領域を覆う右上用前面パネルカバー７０の軸支部１２は、上記グリル用開口６ａと手動操作部ＳＳとの間に設けてあり（図４）、また、コンロ用の設定入力パネル５０の前面を覆う右下用前面パネルカバー７１の軸支部１２は、コンロ用の設定入力パネル５０が配設される開閉式操作部８ａ（図２）の前面と側面の境界部に設けてあり（図４）、また、ドロップインコンロＡの制御用の電源となる電池を本体１内に収納するための電池収納用の開口１４を覆う左上用前面パネルカバー７２の軸支部１２は、上記グリル用開口６ａと電池収納用の開口１４との間に設けてあり（図６）、また、グリル用の設定入力パネル６０の前面を覆う左下用前面パネルカバー７３の軸支部１２は、コンロ用の設定入力パネル５０が配設される開閉式操作部８ａ（図２）の前面と側面の境界部に設けてある（図６）。
【００４１】
前面パネルカバー１０には、３つの上記円筒状の回転操作部８０を裏面から挿通するための挿通孔３９が３つ設けられている（図７）のに加えて、前面パネルカバー１０が前面パネル８を覆った状態において上記電源スイッチ４０（図２、図７）を前面パネルカバー１０の前面から操作自在にするための電源スイッチボタン４１を備える（図７）。この電源スイッチボタン４１は、前面パネルカバー１０が前面パネル８を覆った状態において、前後に移動自在に上記電源スイッチ４０の前面頂部に当接し、前面パネルカバー１０が前面パネル８を覆った状態における電源スイッチボタン４１の押し操作により電源スイッチ４０のＯＮ／ＯＦＦ操作ができるように構成されている。
【００４２】
さらに、上記前面パネル８には自動復帰型の押し操作式のチャイルドロックスイッチ２０が設けられており（図７）、前面パネルカバー１０には、前面パネルカバー１０が前面パネル８を覆った状態において上記チャイルドロックスイッチ２０を前面パネルカバー１０の前面から操作自在にするためのチャイルドロックスイッチボタン２１を備える（図７）。このチャイルドロックスイッチボタン２１は、前面パネルカバー１０が前面パネル８を覆った状態において、前後に移動自在に上記チャイルドロックスイッチ２０の前面頂部に当接し、前面パネルカバー１０が前面パネル８を覆った状態におけるチャイルドロックスイッチボタン２１の押し操作によりチャイルドロックスイッチ２０のＯＮ／ＯＦＦ操作ができるように構成されている。
【００４３】
上記前面パネル８の、上記円筒状の回転操作部８０の上部には、３つのコンロバーナ１ａ，１ｂ，１ｃの火力を表示するための火力表示ＬＥＤ３０が配設してあり（図７）、前面パネルカバー１０には、前面パネルカバー１０が前面パネル８を覆った状態において上記火力表示ＬＥＤ３０の点灯／消灯を前面パネルカバー１０の前面から視認するための導光部３１を備える（図７）。
この導光部３１は、透明な樹脂の成型品を前面パネルカバー１０の前面から後面に挿通することで構成されているもので、前面パネルカバー１０が前面パネル８を覆った状態において上記火力表示ＬＥＤ３０の点灯／消灯を前面パネルカバー１０の前面から視認可能に構成されている。
【００４４】
ドロップインコンロＡをキッチンキャビネット２３に設置する手順を説明する。
図２に示すように、ドロップインコンロＡをキッチンキャビネット２３に設置する前には、前面パネルカバー１０が、前面視におけるドロップインコンロＡの本体１の存在領域内に前面視における前記前面パネルカバー１０の存在領域の全てが包含される第１位置になるように、延長部１７が本体１の側方とは反対の方向、つまり、グリル用開口６ａ側に回動した状態で、図示しない固定用テープによって仮止めされて拘束されている、
【００４５】
前面パネルカバー１０が第１位置にあるときには、本体１の前面をキッチンキャビネット２３の上面開口部７ａから挿入するときに前面パネルカバー１０がキッチンキャビネット２３の上面開口部７ａの周縁と干渉せず、無理なく本体１をキッチンキャビネット２３の上面開口部７ａから挿入することができ、その後、本体１の上部開口周縁に具備する鍔部１ｆが本体１の前面をキッチンキャビネット２３の上面開口部７ａ周縁に係止して、前面パネル８をキッチンキャビネット２３の前面開口部７ｂに臨ませた図９に示す状態となる。
【００４６】
キッチンキャビネット２３の前面開口部７ｂの前面視における開口寸法を前面パネル８の前面視寸法と同じ寸法にすると、前面パネル８をキッチンキャビネット２３の前面開口部７ｂに挿通する際に、前面パネル８とキッチンキャビネット２３の前面開口部７ｂの周縁とが干渉しやすく、施工が困難となるため、キッチンキャビネット２３の前面開口部７ｂの前面視における開口寸法は前面パネル８の前面視寸法より十分大きくする必要があるため、前面パネル８をキッチンキャビネット２３の前面開口部７ｂに臨ませた図９の状態においては、前面パネル８の周縁とキッチンキャビネット２３の前面開口部７ｂの周縁との間には隙間が生じることになる。
【００４７】
この図９の状態において、前面パネル８の下方の隙間は前面パネル８が存在するため目立ちにくいものであり、前面パネル８の上方の隙間はキッチンキャビネット２３上面において前方に突出するカウンタートップ前端２４が存在するため目立ちにくいものであるが、前面パネル８の両側方の隙間１８は目立ったものとなっており、以下に示す手順で前面パネル８の両側方の隙間１８を塞ぐ工程を行うことですっきりとした外観を保つものである。
【００４８】
図９の状態から、図示しない全面保護部材固定用テープを取り除き、前面保護部材固定用テープによる仮止め拘束を解除した後、軸部１３を中心に前面パネルカバー１０の延長部１７が前面パネル８の両側方の隙間１８を覆う第２位置となるまで前面パネルカバー１０を回動させることで、延長部１７によって前面パネル８の両側方の隙間１８が覆われて、キッチンキャビネット２３の前面と前面パネルカバー１０の前面とが一体感を持ったすっきりとした外観を保つ図３の状態となる。なお、前面パネルカバー１０が第１位置から第２位置に至る途中の状態では、図４に示すように前面パネルカバー１０が本体１の前方に突出した状態を経由することになる。
【００４９】
その後、天板２を本体１に装着することでキッチンキャビネット２３へのドロップインコンロＡの組込みが完了する。なお、図５に示すように、前面パネルカバー１０の背面には爪１５ｂを突設してあり、前面パネル８の爪１５ｂと対応する位置には、爪１５ｂと係合する穴部１５ａが穿設してあり、前面パネルカバー１０が上記第２位置に回動した時に爪１５ｂが穴部１５ａと係合して、前面パネルカバー１０が第２位置に位置するときに、前面パネルカバー１０が第１位置に向かって不用意に回動することがないように牽制手段１５を設けてある。なお、爪１５ｂが穴部１５ａと係合した状態においても、少し強い目の力を以ってすれば、前面パネルカバー１０を第１位置に向かって回動させることが可能である。
【００５０】
以下、電池収納用の開口１４および開閉式操作部８ａと前面パネルカバー１０との関連について補足する。
図２に示すように、前面パネル８における、グリル用の設定入力パネル６０が配設される開閉式操作部８ａの上部、つまり、前面パネル８における左上には、燃焼制御部Ｈの電源となる電池を本体１に収納するための電池収納用の開口１４を設けてある。
【００５１】
軸支部１２を電池収納用の開口１４とグリル用開口６ａとの間に設けてあり、左上用前面パネルカバー７２が上記第２位置にあるときには、電池収納用の開口１４は左上用前面パネルカバー７２に覆われた美観を保ち、電池収納用の開口１４からの異物の浸入を保った状態とするものであり、電池を交換するときには、少し強い目の力を以って左上用前面パネルカバー７２を回動させて左上用前面パネルカバー７２を第１位置に位置するようにすることで電池の交換が容易に行える。電池の交換が終了すれば、左上用前面パネルカバー７２を回動させて第２位置に位置するようにすることで通常の使用状態とすることができる。
【００５２】
開閉式操作部８ａの前面を覆う前面パネルカバー１０、すなわち、右下用前面パネルカバー７１および左下用前面パネルカバー７３用の軸支部１２は、開閉式操作部８ａの前面と、開閉式操作部８ａのグリル用開口６ａ側の側面との境界部に設けてあり（図５、図６参照）、開閉式操作部８ａの前方への引出しや本体１への収納に伴い、前面パネルカバー１０（右下用前面パネルカバー７１および左下用前面パネルカバー７３）も開閉式操作部８ａと共に前後に移動することになる。
【００５３】
開閉式操作部８ａの前方への引出しや本体１への収納に伴い、前面パネルカバー１０も開閉式操作部８ａと共に前後に移動することで、右下用前面パネルカバー７１および左下用前面パネルカバー７３が開閉式操作部８ａと共に前後に移動するように構成することで、右下用前面パネルカバー７１および左下用前面パネルカバー７３と開閉式操作部８ａとの干渉を防止するための特別な構造が不要となる。
【００５４】
たとえば、本体１に右下用前面パネルカバー７１および左下用前面パネルカバー７３用の軸支部１２を設けた場合には、開閉式操作部８ａの引き出し時に生じる右下用前面パネルカバー７１および左下用前面パネルカバー７３と開閉式操作部８ａとの干渉が発生しないようにするために、右下用前面パネルカバー７１および左下用前面パネルカバー７３に開閉式操作部８ａの前方への引出しを許容する開口部を設ける等の構造とする必要があるが、この場合、この開口部周縁と開閉式操作部８ａの前面周縁との隙間を目立たなくする構成とする必要があるものであり、これには困難を伴うものである。
【００５５】
これに対し、本実施形態では、右下用前面パネルカバー７１および左下用前面パネルカバー７３用の軸支部１２は、開閉式操作部８ａの前面と、開閉式操作部８ａのグリル用開口６ａ側の側面との境界部に設けてあり、開閉式操作部８ａの前方への引出しや本体１への収納に伴い、前面パネルカバー１０（右下用前面パネルカバー７１および左下用前面パネルカバー７３）も開閉式操作部８ａと共に前後に移動するように構成するものであり、右下用前面パネルカバー７１および左下用前面パネルカバー７３が第２位置にあるときの美観を良好に保つことができる。
【００５６】
因みに、上述のように、前面パネルカバー１０が第１位置にあり、前面パネルカバー１０がグリル用開口６ａに位置するときには、グリル扉６ｂ（図１参照）は取り外してあり（図３、図４参照）、上述の施工が完了して前面パネルカバー１０が第２位置に移動した後に、グリル扉６ｂが所定の位置に装着される。（図１参照。）
【００５７】
なお、図５、図７に示すように、前面パネルカバー１０には爪１５ｂを備え、前面パネル８には穴部１５ａを備えており、前面パネルカバー１０が第１位置に向けて不用意に回動することを牽制する、つまり、爪１５ｂと穴部１５ａとで牽制手段１５を構成するものであるが、上述のように、爪１５ｂが穴部１５ａと係合した状態においても、少し強い目の力を以ってすれば、前面パネルカバー１０を第１位置に向かって回動させることが可能である。
【００５８】
〔別実施例〕
（１）第１実施形態では、加熱部としてガスバーナを用いたが、加熱部はガスバーナに限定されるものではなく、加熱部として、電気ヒータ、ＩＨヒータ等を用いるなど、本発明は、種々方式の加熱部を用いた加熱調理器に適用可能である。
【産業上の利用可能性】
【００５９】
以上のように、本発明にかかる組込式加熱調理器は、キッチンキャビネット前面開口部と本体前面操作部との隙間に、取り付け・取り外しが容易であり、美観を良好に保つことができる前面パネルカバーを、前記隙間を覆うように構成することができるものであり、一般家庭で使用するキッチンキャビネットの前面開口部に操作部を配置する組込式加熱調理器等の用途に広く適用できる。
【符号の説明】
【００６０】
１      ドロップインコンロ本体
１ｆ    鍔部
２      天板
３      バーナ（炎口部）
３ａ    五徳
４      排気口
６      グリル庫
６ａ    グリル用開口
６ｂ    グリル扉
７ａ    上面開口部
７ｂ    前面開口部
８      前面パネル
８ａ    開閉式操作部
１０    前面パネルカバー
１２    軸支部
１３    軸部
１４    電池収納用の開口
１５    牽制手段
１５ａ  穴部
１５ｂ    爪
１７    延長部
１８    側方の隙間
２０    チャイルドロックスイッチ
２１    チャイルドロックスイッチボタン
２３    キッチンキャビネット
２４    カウンタートップ前端
３０    火力表示ＬＥＤ
３１    導光部
３９    挿通孔
４０    電源スイッチ
４１    電源スイッチボタン
５０    コンロ用の設定入力パネル
６０    グリル用の設定入力パネル
７０    右上用前面パネルカバー
７１    右下用前面パネルカバー
７２    左上用前面パネルカバー
７３    左下用前面パネルカバー
８０    円筒状の回転操作部
Ａ      ドロップインコンロ
Ｈ      燃焼制御部
Ｓ      操作部
ＳＳ    手動操作部
【図１】
2013024494.tif 000003
【図２】
2013024494.tif 000004
【図３】
2013024494.tif 000005
【図４】
2013024494.tif 000006
【図５】
2013024494.tif 000007
【図６】
2013024494.tif 000008
【図７】
2013024494.tif 000009
【図８】
2013024494.tif 000010
【図９】
2013024494.tif 000011